(57)【要約】      （修正有）【課題】係合維持片と、係合維持片のない部材との衝突を防止し、長寿命化を図る作業用ケースを提供する。【解決手段】ベルト挿通部６を有するベルト側部材２と、工具類を収納する工具側部材２０とからなる。ベルト側部材と工具部材の一方に係合軸１０が設けられ、他方に軸受部３４と係合維持片３８とからなる軸係合部が設けられる。ベルト側部材と工具側部材のいずれかに係合維持部保護手段４０を設ける。【選択図】図１
0003178864.tif 000002
【実用新案登録請求の範囲】
【請求項１】
ベルトが挿通されるベルト挿通部を有してベルトに掛けられるベルト側部材と、
一又は複数の工具類を収納する工具側部材と、
からなり、
上記ベルト側部材と上記工具側部材のうちの一方に、このベルト側部材のベルト挿通部に通されるベルトと略同じ向きに係合軸が設けられ、
上記ベルト側部材と上記工具側部材のうちの他方に、上記係合軸にてその上方から受けられその係合軸のある側の部材のその係合軸を中心とする回動を許容しつつその係合軸の向きの変化を許容する軸受け部と、この軸受け部への侵入を阻む方向に付勢されその付勢力に抗して上記係合軸をその軸受け部が受けるように侵入させたときその付勢力によりその係合軸の侵入経路を閉じる係合維持部とからなる軸係合部が設けられた
作業用ケースにおいて、
上記ベルト側部材と上記工具側部材のうちのいずれかに、その両部材の接触により係合維持部がその係合維持部を有しない方の部材と接するのを防止する係合維持部保護手段を、設けた
ことを特徴とする作業用ケース。
【請求項２】
前記ベルト側部材のベルトと反対側に前記係合軸が設けられ、
前記工具側部材に前記軸受け部、係合維持部及び係合維持部保護手段を成す突起が設けられた
ことを特徴とする請求項１記載の作業用ケース。
【考案の詳細な説明】
【技術分野】
【０００１】
本考案は、ベルト挿通部に通したベルトに掛けられることにより使用される作業用ケース、例えば、建築、建設、土木、電気工事等の作業現場にて作業する各種工具を収納する作業用ケースに関する。
【背景技術】
【０００２】
建設、土木、建築、電気工事等の現場では作業員が様々の工具類、例えばハッカー、ハンマー等の各種工具類を使用して作業をするので、使用する工具を入れる作業用ケースをズボンのベルト或いは安全ベルトにかけ、それに必要な工具類を入れて現場に臨む。そして、本願出願人会社は、そのような工具を収納する作業用ケースについて、例えば特願２００１−２７５９７５、特願２００１−２６９７１４等により技術的な提案をし、その提案内容が特開２００３−０８２８５６公報、特開２００３−０８０４７４号公報により公開されている。
【０００３】
従前の作業用ケースは、一般に、ベルト側部分と工具収納側部分とが一体に形成されていたので、作業者の姿勢の変化、特に急激な変化に対応して柔軟に変形することができず、そのため、円滑な作業を妨げたり、不慮のトラブルにより作業者の姿勢の急激な変化を妨げて事故の原因となるおそれがあるという問題があった。
また、建築、その他の各種の工事現場においては、日によって、或いは一日における午前、午後等時間、時間帯等によって作業内容が変化することが多く、そのような場合、その変化に対応して使用する工具の種類が多い。
【０００４】
従って、作業員はベルトに数多くの工具を掛けて作業に臨む場合が多い。そして、一日内における作業内容の変化によって使用頻度の高い工具の種類が変化するので、それに応じて工具のベルトに掛ける場所を変化させることが作業の能率、安全に好ましい。
そのため、一日の作業における途中で、工具のベルトの掛ける位置を変える必要がある場合が少なくない。そして、従来においてその掛け換えをする場合、或いは、新しい工具を掛ける場合、ベルトの止め金具を解放し、現在掛けている工具の全部乃至一部をベルトから外し、その後、改めてベルトに必要な工具を必要な位置に掛けるという作業が必要となる。そして、これには大変時間がかかるという問題があるのみならず、作業場所が高いとか、作業姿勢が拘束されるような場合、そのようなベルトに対する工具の着脱作業が非常に危険になる場合もあった。
【０００５】
そこで、用意する部材の種類、数をいたずらに多くすることなく、多種類の作業用ケースを用意できるようにし、着用ベルトの種類、収納すべき工具の種類、数に関する多様な必要、要望に設備費を徒に増すことなく応えることができるようにし、更には、作業者の姿勢の変化、特に急激な変化に対応して柔軟に変形することができるようにし、以て、円滑な作業が妨げられたり、不慮のトラブルにより作業者の姿勢の急激な変化が妨げられて事故が生じるおそれをなくし、更には、ベルトに対する工具の着脱を簡単に為し得るようにすることを目的として、図２（Ａ）〜（Ｃ）に示す作業用ケースが開発された。尚、同図の（Ａ）はベルト側部材２の斜視図、（Ｂ）は工具側部材２０の斜視図、（Ｃ）は（Ｂ）に示した工具側部材２０の上部を矢印Ｂに沿って視た矢Ｂ視図である。
【０００６】
同図において、２はベルト側部材であり、板状の金属からなり、ベルト４を通す一対のスリット状のベルト挿通部６、６を両側部に有する。このスリット状のベルト挿通部６、６にベルト４を挿通されることによりベルト側部材２がベルト４に装着される。
８、８はベルト側部材２の中央部に立設された一対の係合軸支持片で、その係合軸支持片８、８間に係合軸１０が一体に形成され支持されている。
【０００７】
２０は工具側部材で、例えば皮革製又は樹脂製、布製若しくは金属製の基板２２の一表面に、別の例えば皮革製又は樹脂製、布製若しくは金属製の工具収納ポケット形成片２４が、基板２２との間に工具収納ポケット２６ができるように固定され、その基板２２の上部には金属板３０がリベット２８を固定手段として取り付けられている。この金属板３０には、係合軸等形成片３２が取り付けられている。
この係合軸等形成片３２は、上端部が側方から見て逆Ｕ字状になるように曲折されて軸受け部３４を成しており、この軸受け部３４の内側部分３６に前記係合軸１０を受け入れることによって軸受け部３２を係合軸１０と係合させ、ベルト側部材２に工具側部材２０が装着された状態にすることができる。
【０００８】
係合軸等形成片３２の下端部が他の部分よりも狭く且つ薄くされ、側方から見てＵ字状に曲折されて係合維持片３８を成しており、この係合維持片３８の先端は軸受け部３４の先端の内側に位置し、係合維持片３８の弾性力により軸受け部３４の内側の面に付勢されて接触し、軸受け部３４の内側部分３６を外部と遮断する。
軸受け部３４に係合軸１０を係合させるには、係合維持片３８をそのバネ力（付勢力）に抗して軸受け部３４から離して軸受け部３４との間に間隙をつくり、その間隙に係合軸３８を通して軸受け部３４に係合させた状態にすることができる。つまり、ベルト側部材２に工具側部材２０を装着した状態にすることができる。
【０００９】
また、ベルト側部材２と工具側部材２０を分離する場合には、軸受け部３４に係合された係合維持片３８をそのバネ力（付勢力）に抗して軸受け部３４から離して軸受け部３４との間に間隙をつくり、その間隙に係合軸３８を通して軸受け部３４の内側部分３６から外側に係合軸３８を出す。
従って、ベルト側部材２と工具側部材４とは着脱自在であり、ベルト側部材と、工具側部材との組み合わせを変えることにより種々の作業用ケースを構成し得る。
依って、用意する部材の種類、数を徒に多くすることなく、多他種類の作業用ケース１を用意することができ、工事企業等が備えるべき設備費を徒に増すことなく作業用ケース使用者の多様なニーズに応えることができる。
その点で図２に示した作業用ケースは優れていると言える。
【先行技術文献】
【特許文献】
【００１０】
【特許文献１】特開２００３−０８２８５６公報（特願２００１−２７５９７５）
【特許文献２】特開２００３−０８０４７４公報（特願２００１−２６９７１４）
【考案の概要】
【考案が解決しようとする課題】
【００１１】
ところで、図２に示す従来の作業用ケースには、作業用ケースを装着して歩行、作業する過程で、ベルト側部材２と工具側部材２０とが、係合維持片３８にて「カチカチ」と繰り返し衝突して摩耗、損傷するおそれがあり、本願考案者はそれ故により長寿命化の要請に応える必要性を認識した。
というのは、係合維持片３８は、その幅、長さ、形状、厚みが、適度な弾性を得るように、幅が狭く、長さが短く、厚みが薄く設定されており、機械的強度が金属板３０の他の部分よりも弱くなるからである。
【００１２】
即ち、図２に示すようなタイプの作業用ケースは、ベルト側部材２と工具側部材２０とは、係合軸１０と軸受け部３２との緩やかな係合により、互いに自由度が高い状態で結合され、歩行、作業の過程において互いにぶつかり合うことは避け得なかった。
そして、従来においては、そのぶつかり合いが工具側部材２０の係合維持片３８と、ベルト側部材２との間に生じた。
【００１３】
このような衝突の繰り返しによる損傷は、１年や２年程度の使用では無視できない程度の大きさになるおそれがないが、本願出願人会社は、５年、１０年或いはそれ以上という工具類に一般的に要求される耐用年数を越える極めて長い期間でも支障なく使用できる商品を提供するという理想を追求している。そして、その追求には、工具側部材２０の係合維持片３８と、ベルト側部材２との間に生じる衝突による僅かな損傷も無視できない。
本考案は、そのように係合維持片が、それを有しない側の部材と衝突することを防止し、その衝突による摩耗、損傷を防止し、以て作業用ケースのより一層の長寿命化を図ることを目的とする。
【課題を解決するための手段】
【００１４】
本考案は、ベルトが挿通されるベルト挿通部を有してベルトに掛けられるベルト側部材と、一又は複数の工具類を収納する工具側部材と、からなり、上記ベルト側部材と上記工具側部材のうちの一方に、このベルト側部材のベルト挿通部に通されるベルトと略同じ向きに係合軸が設けられ、上記ベルト側部材と上記工具側部材のうちの他方に、上記係合軸にてその上方から受けられその係合軸のある側の部材のその係合軸を中心とする回動を許容しつつその係合軸の向きの変化を許容する軸受け部と、この軸受け部への侵入を阻む方向に付勢されその付勢力に抗して上記係合軸をその軸受け部が受けるように侵入させたときその付勢力によりその係合軸の侵入経路を閉じる係合維持部とからなる軸係合部が設けられた作業用ケースにおいて、上記ベルト側部材と上記工具側部材のうちのいずれかに、その両部材の接触により係合維持部が、その係合維持部を有しない方の部材と接するのを防止する係合維持部保護手段を設けたことを特徴とする。
【考案の効果】
【００１５】
本考案の作業用ケースによれば、係合維持部保護手段を有するので、ベルト側部材と工具側部材のうちの係合維持片のない方と、係合維持片との衝突を、係合維持部保護手段により防止し、以て、その衝突による摩耗、損傷を防止し、以て作業用ケースのより一層の長寿命化を図ることができる。
【図面の簡単な説明】
【００１６】
【図１】（Ａ）〜（Ｃ）は本考案の一つの実施例を示すもので、（Ａ）はベルト側部材の斜視図、（Ｂ）は工具側部材の斜視図、（Ｃ）は（Ｂ）に示した工具側部材上部を矢印Ａに沿って視た矢Ａ視図である。
【図２】（Ａ）〜（Ｃ）は従来例を示すもので、（Ａ）はベルト側部材の斜視図、（Ｂ）は工具側部材の斜視図、（Ｃ）は（Ｂ）に示した工具側部材上部を矢印Ａに沿って視た矢Ｂ視図である。
【考案を実施するための形態】
【００１７】
本考案は、基本的に、ベルトに装着されるベルト側部材と、工具類を収納する工具側部材と、からなり、そのうちの一方に、係合軸が設けられ、他方に、上記係合軸にてその上方から受ける軸受け部と、軸係合部が設けられた作業用ケースにおいて、その両部材の接触により係合維持部が、その係合維持部を有しない方の部材と接するのを防止する係合維持部保護手段を設けたものであり、係合軸をベルト側部材に、軸係合部を工具側部材に設ける実施形態があるが、その逆に、軸係合部をベルト側部材に、係合軸を工具側部材に設ける実施形態もありうる。
また、係合維持部保護手段は、軸係合部のある側の部材に突起を設けるという形態でも実施できるが、軸係合部の無い側の部材に突起を設ける形態でも実施できる。
【００１８】
後で、本考案の一つの実施例を記載するが、その記載された実施例においては、ベルト側部材に係合軸が設けられ、工具側部材に軸係合部及び係合維持部が設けられているが、それは飽くまで一つの実施例に過ぎず、種々の実施の形態がありうる。
【実施例１】
【００１９】
以下、本考案の一つの実施例の詳細を図示実施例に基いて説明する。
図１（Ａ）〜（Ｃ）は本考案作業用ケースの一つの実施例を示すもので、（Ａ）はベルト側部材の斜視図、（Ｂ）は工具側部材の斜視図、（Ｃ）は（Ｂ）に示した工具側部材上部を矢印Ａに沿って視た矢Ａ視図である。
【００２０】
同図において、２はベルト側部材であり、板状の金属からなり、ベルト４を通す一対のスリット状のベルト挿通部６、６を両側部に有する。このスリット状のベルト挿通部６、６にベルト４を挿通されることによりベルト側部材２がベルト４に装着される。
８、８はベルト側部材２の中央部に立設された一対の係合軸支持片で、その係合軸支持片８、８間に係合軸１０が一体に形成され支持されている。この係合軸１０の向きは、スリット状の一対のベルト挿通部６・６の離間する方向と略一致する方向に一致する。従って、ベルト側部材２がベルト４に装着されると、係合軸１０の向きはそのベルト４の長手方向に略一致する。
【００２１】
２０は工具側部材で、例えば皮革製又は樹脂製、布製若しくは金属製の基板２２の一表面に、別の例えば皮革製又は樹脂製、布製若しくは金属製の工具収納ポケット形成片２４が、基板２２との間に工具収納ポケット２６ができるように固定され、その基板２２の上部には金属板３０がリベット２８を固定手段として取り付けられている。この金属板３０には、係合軸等形成片３２が取り付けられている。
この係合軸等形成片３２は、上端部が側方から見て逆Ｕ字状になるように曲折されて軸受け部３４を成しており、この軸受け部３４の内側部分３６に前記係合軸１０を受け入れることによって軸受け部３２を係合軸１０と係合させ、ベルト側部材２に工具側部材２０が装着された状態にすることができる。
【００２２】
係合軸等形成片３２の下端部が他の部分よりも狭く且つ薄くされ、側方から見てＵ字状に曲折されて係合維持片３８を成しており、この係合維持片３８の先端は軸受け部３４の先端の内側に位置し、係合維持片３８の弾性力により軸受け部３４の内側の面に付勢されて接触し、軸受け部３４の内側部分３６を外部と遮断する。
この軸受け部３４と係合維持片３８とによって、軸係合部が構成され、この軸係合部３４、３８が実用新案登録請求の範囲でいう軸係合部に該当する。
【００２３】
４０、４０は、係合軸等形成片３２に一体に形成された係合維持部保護手段を成す係合維持部保護突起で、Ｕ字状に曲折された係合維持片３８の下部（基部）の両側に近接した位置に設けられ、その高さは係合維持片３８の係合軸等形成片３２からの高さよりも高くされている。
従って、ベルト側部材２と、工具側部材２０とが衝突しても、係合維持片３８に工具側部材２０が衝突することはその係合維持部保護突起４０、４０によって回避することができる。
【００２４】
以て、その衝突による摩耗、損傷を防止し、以て作業用ケースのより一層の長寿命化を図ることができる。
尚、係合維持部保護突起４０、４０は、工具側部材２０に設けるのではなく、ベルト側部材２に設けるようにしても良い。この場合、傾向維持片３８と対応する位置から適宜逸れた位置に設定することが必要である。
このように、本考案には種々の実施形態がありうるもので、図１に示した実施例に限定されるものではない。
【産業上の利用可能性】
【００２５】
本考案は、互いに着脱自在のベルト側部材と工具側部材とからなり、ベルト挿通部に通したベルトにベルト側部材が掛けられることにより使用され、例えば、建築、建設、土木、電気工事等の作業現場にて作業する各種工具を収納する作業用ケースに広く利用可能性がある。
【符号の説明】
【００２６】
２・・・ベルト側部材、４・・・ベルト、６・・・ベルト挿通部、
１０・・・係合軸、２０・・・工具側部材、３４、３８・・・軸係合部、
３４・・・軸受け部、３８・・・係合維持片、４０・・・係合維持片保護手段（突起）。
【図１】
0003178864.tif 000003
【図２】
0003178864.tif 000004